(57)【要約】【課題】生産性を悪化させることなく、車体前部の振動を効果的に抑制できる車両の前部車体構造を提供する。【解決手段】バンパビーム２と、左右のフレーム部材１０と、バンパビーム２の両端部とフレーム部材１０の前端部を連結する左右のクラッシュカン２０を備え、クラッシュカン２０とフレーム部材１０とが、左右の結合部５Ｌ，５Ｒで結合され、結合部５Ｌ，５Ｒは、上側を前後に締結する上側締結部３０１，３０２と、下側を前後に締結する下側締結部３０３，３０４を含む締結部３０を有しており、結合部５Ｌ，５Ｒにおいて、上側締結部３０１，３０２の１つと下側締結部３０３，３０４の１つを結ぶ外側線分３５ａと内側線分３５ｄとのそれぞれの中点Ａ１，Ａ２を結ぶ締結部上下二等分線３７Ｌ，３７Ｒが略水平方向に延び且つ互いに上下にオフセットするように、締結部３０が配置されている。【選択図】図３
2017024524.tif 000002
【特許請求の範囲】
【請求項１】
車体前部において車幅方向に延びるビーム部材と、
前記ビーム部材の両端部の後方に配設されて前後方向に延びる左右のフレーム部材と、
前記ビーム部材の前記両端部と前記フレーム部材の前端部との間にそれぞれ配設されてこれらの部材を連結する左右の連結部材とを備え、
左右の前記連結部材と左右の前記フレーム部材とがそれぞれ、左右の結合部で結合されている車両の前部車体構造であって、
前記結合部は、該結合部の上側を前後方向に締結する１以上の上側締結部と、下側を前後方向に締結する１以上の下側締結部とを含む３以上の締結部を有しており、
左右の前記結合部において、前記上側締結部の１つと前記下側締結部の１つとを結ぶ線分のうち車幅方向の最も外側に位置する外側線分と車幅方向の最も内側に位置する内側線分とのそれぞれの中点を結ぶ締結部上下二等分線がそれぞれ略水平方向に延びており、且つ、互いに上下にオフセットするように、複数の前記締結部が配置されていることを特徴とする車両の前部車体構造。
【請求項２】
左右の前記結合部は、それぞれの前記締結部上下二等分線の上下方向の中間位置が、前記ビーム部材の上下方向の中間位置に対して、上下にオフセットして位置するように、複数の前記締結部が配置されている、
請求項１に記載の車両の前部車体構造。
【発明の詳細な説明】
【技術分野】
【０００１】
本発明は、車両の前部車体構造に関し、特に、車体の前端部において車幅方向に延びるビーム部材が、両端部において、該ビーム部材の後方において前後方向に延びる左右のフレーム部材の前端部に、連結部材を介して着脱自在に結合された車両の前部車体構造に関する。
【背景技術】
【０００２】
従来、車両の前部には、バンパを取り付けるためのバンパビームが配置されている。バンパビームは車幅方向に延びており、その両端部の後面が連結部材としてのクラッシュカンを介して、前後方向に延びる左右のフレーム部材の前端部に連結されている。なお、クラッシュカンによれば、車体前方から入力された衝撃荷重を、クラッシュすることによって吸収して、フレーム部材への衝撃荷重の伝達が抑制されるようになっている。
【０００３】
また、フレーム部材への影響が小さい軽衝突をした場合の修理時には、クラッシュカン及びバンパビームのみ交換することができるように、クラッシュカンとフレーム部材との間の結合部は、ボルト等を用いた締結部によって着脱可能に構成されている。
【０００４】
すなわち、重量物であるバンパビーム及びバンパは、フレーム部材に着脱自在に取り付けられたクラッシュカンによって片持ち状態で支持されているので、クラッシュカンのフレーム部材に結合されている基部を起点として上下に振動しやすく、該振動がクラッシュカン及びフレーム部材を介して車室内に伝達されることになる。
【０００５】
これに対して、特許文献１には、クラッシュカンとフレーム部材との結合部を、剛結合部と柔結合部とで構成することによって、剛結合部において結合力を維持しつつ、柔結合部においてクラッシュカンから伝達される振動エネルギを吸収することによって、フレーム部材から車室内への振動の伝達を抑制する、車両の前部車体構造が開示されている。
【先行技術文献】
【特許文献】
【０００６】
【特許文献１】特開２０１１−２５５８１５号公報
【発明の概要】
【発明が解決しようとする課題】
【０００７】
ところで、特許文献１の車両の前部車体構造では、柔結合部を、クラッシュカンとフレーム部材との間に設けた隙間に減衰部材を配設することによって実現するものである。しかしながら、クラッシュカンとフレーム部材との間に隙間を設けるようにクラッシュカン及び／又はフレーム部材の少なくともいずれか一方の合わせ面を形成する必要があり、形状が複雑となるため製造が容易でない。
【０００８】
さらに、クラッシュカンとフレーム部材との間に形成した隙間に、減衰部材を介在させて組み付ける必要があり組立工数が増大する。すなわち、特許文献１の前部車体構造では生産性が悪化してしまう。
【０００９】
この発明は、上記課題を解決するためになされたものであり、生産性を悪化させることなく、車体前部の振動を効果的に抑制できる車両の前部車体構造を提供することを目的とする。
【課題を解決するための手段】
【００１０】
本願の発明者は、車両の前部車体構造が、クラッシュカン等の連結部材とフレーム部材との結合部において、上下に配置された複数の締結部における、上側の締結部と下側の締結部との上下方向の略中間に振動軸線が位置し、該振動軸線の周りに振動し易いことを、鋭意検討の結果、見出した。すなわち、本願発明は、振動軸線を、左右の結合部で異ならせることによって、前部車体構造の振動を効果的に抑制するものであり、次のように構成したことを特徴とする。
【００１１】
まず、本願の請求項１に記載の発明は、車体前部において車幅方向に延びるビーム部材と、前記ビーム部材の両端部の後方に配設されて前後方向に延びる左右のフレーム部材と、前記ビーム部材の前記両端部と前記フレーム部材の前端部との間にそれぞれ配設されてこれらの部材を連結する左右の連結部材とを備え、左右の前記連結部材と左右の前記フレーム部材とがそれぞれ、左右の結合部で結合されている車両の前部車体構造であって、前記結合部は、該結合部の上側を前後方向に締結する１以上の上側締結部と、下側を前後方向に締結する１以上の下側締結部とを含む３以上の締結部を有しており、左右の前記結合部において、前記上側締結部の１つと前記下側締結部の１つとを結ぶ線分のうち車幅方向の最も外側に位置する外側線分と車幅方向の最も内側に位置する内側線分とのそれぞれの中点を結ぶ締結部上下二等分線がそれぞれ略水平方向に延びており、且つ、互いに上下にオフセットするように、複数の前記締結部が配置されていることを特徴とする。
【００１２】
また、請求項２に記載の発明は、前記請求項１に記載の車両の前部車体構造において、左右の前記結合部は、それぞれの前記締結部上下二等分線の上下方向の中間位置が、前記ビーム部材の上下方向の中間位置に対して、上下にオフセットして位置するように、複数の前記締結部が配置されていることを特徴とする。
【発明の効果】
【００１３】
前記の構成により、本願各請求項の発明によれば、次の効果が得られる。
【００１４】
まず、請求項１に記載の発明によれば、左右の結合部における締結部上下二等分線が上下にオフセットしているので、左右の結合部における締結部上下二等分線が一致することがない。これによって、左右それぞれの結合部における締結部上下二等分線の周りの連結部材の振動モードが左右で異なることになる。この結果、左右の連結部材の振動モードが一致することによる共振を防止して、車体前部の振動を効果的に抑制できる。
【００１５】
しかも、締結部の配置によって、締結部上下二等分線を容易に水平方向に対して傾斜させることができる。よって、生産性を悪化させることなく、車体前部の振動を効果的に抑制できる。
【００１６】
ところで、車体前部は、左右の結合部における締結部上下二等分線が上下にオフセットして位置している場合には、これらの締結部上下二等分線の高さ方向の中心位置に画定される左右締結部上下二等分線周りに、全体として振動し易い。さらに、ビーム部材の高さ方向の中心位置が、左右締結部上下二等分線の高さと一致する場合には、車体前部が全体としてより振動し易くなる。
【００１７】
しかしながら、請求項２に記載の発明によれば、左右締結部上下二等分線を、その高さ位置がビーム部材の高さ方向の中心位置に対して上下にオフセットするように左右の締結部を配置することによって、車体前部の振動をより一層効果的に抑制できる。
【００１８】
すなわち、本発明に係る車両の前部車体構造によれば、生産性を悪化させることなく、車体前部の振動を効果的に抑制できる。
【図面の簡単な説明】
【００１９】
【図１】本発明の一実施形態に係る前部車体構造を示す斜視図である。
【図２】バンパビーム組立体を取り外した状態を示す図１の前部車体構造の分解斜視図である。
【図３】図１のＸ方向矢視によるバンパビーム組立体の後面図である。
【図４】変形例に係るバンパビーム組立体を示す図３と同様の後面図である。
【図５】締結部の配置の変形例を示す取付プレートの後面図である。
【発明を実施するための形態】
【００２０】
以下、本発明の実施形態について説明する。なお、以下の説明において、前後、左右、上下等の各方向は、特段の説明がある場合を除いて、車両に乗車した乗員から見た各方向を指すものとする。
【００２１】
図１は、本発明の一実施形態に係る車両の前部車体構造を示している。図１に示すように、車体前部には、車幅方向に延びる金属製のバンパビーム２（ビーム部材）が配設されており、バンパビーム２にはバンパ（不図示）が取り付けられるようになっている。バンパビーム２の車幅方向両端部の後方には、前後方向に延びる左右一対のフレーム部材１０が配設されている。
【００２２】
左右のフレーム部材１０の前端部には、それぞれ金属製のセットプレート１１が例えば溶接によって固着されている。左右のセットプレート１１は、前後方向及び上下方向の略同位置において車幅方向及び鉛直方向に略平行に配設されている。
【００２３】
バンパビーム２の両端部の後面とフレーム部材１０の前端部との間には、左右一対のクラッシュカン２０（連結部材）が配設されており、バンパビーム２はクラッシュカン２０を介してフレーム部材１０に連結されている。クラッシュカン２０によれば、車体前方からの衝撃荷重の入力時にクラッシュすることで衝撃エネルギを吸収するように構成されており、これによって、フレーム部材１０側に伝達される衝撃の緩和が図られている。
【００２４】
クラッシュカン２０は、前後方向に延びるクラッシュカン本体２１と、クラッシュカン本体２１の後端部に例えば溶接によって固着された金属製の取付プレート２２と、を有している。クラッシュカン２０は、クラッシュカン本体２１の前端部でバンパビーム２の両端部の後面に例えば溶接によって結合されており、後端部の取付プレート２２がセットプレート１１に着脱自在に結合されている。
【００２５】
すなわち、バンパビーム２及び左右のクラッシュカン２０によって、一体としてフレーム部材１０から着脱自在である、バンパビーム組立体１が構成されている。このように、バンパビーム組立体１をフレーム部材１０から着脱自在に構成することによって、フレーム部材１０側への影響が軽微であるような軽衝突時には、フレーム部材１０の修理を不要にしつつバンパビーム組立体１のみを交換できるので、整備性がよい。
【００２６】
図２は、フレーム部材１０からバンパビーム組立体１を取り外した状態を示す、前部車体構造の分解斜視図である。図２に示すように、取付プレート２２は、略矩形状に形成されており、セットプレート１１に結合されるプレート面２２ａが車幅方向及び鉛直方向に略平行となるように配設されている。取付プレート２２の４隅には、締結ボルト３が挿通されるボルト挿通孔２３が形成されている。一方、セットプレート１１には、ボルト挿通孔２３に対応する位置にボルト挿通孔１３が形成されており、その後面にはナット４が例えば溶接によって固着されている。
【００２７】
したがって、バンパビーム組立体１は、締結ボルト３を、ボルト挿通孔２３，１３に前方から順に挿通させつつナット４に締結させることによって、フレーム部材１０の前端部に着脱自在に結合できるようになっている。すなわち、少なくとも締結ボルト３、ナット４、及びボルト挿通孔２３，１３によって取付プレート３２の４隅に４つの締結部３０が構成され、これらの締結部３０と、取付プレート２２及びセットプレート１１と、によってバンパビーム組立体１をフレーム部材１０に結合する、左右一対の結合部５Ｌ，５Ｒが構成されている。
【００２８】
次に図３を参照して、左右の結合部５Ｌ，５Ｒにおける、締結部３０の配置について具体的に説明する。図３は、図１のＸ方向矢視によるバンパビーム組立体１を後方から見た図である。図３に示すように、右側の結合部５Ｒには、右側締結部３０Ｒとして第１〜第４締結部３０１Ｒ〜３０４Ｒが配置されており、左側の結合部５Ｌには、左側締結部３０Ｌとして第１〜第４締結部３０１Ｌ〜３０４Ｌが配置されている。
【００２９】
まず、右側締結部３０Ｒの配置について説明する。第１及び第２締結部３０１Ｒ，３０２Ｒは、右側締結部３０Ｒのうち上側を締結する上側締結部として構成されており、第１締結部３０１Ｒは、車幅方向の外側に配置され、第２締結部３０２Ｒは、車幅方向の内側に配置されている。また、第１及び第２締結部３０１Ｒ，３０２Ｒは、上下方向の略同一高さ位置に配置されている。
【００３０】
第３及び第４締結部３０３Ｒ，３０４Ｒは、右側締結部３０Ｒのうち下側を締結する下側締結部として構成されており、第３締結部３０３Ｒは、車幅方向の外側に配置され、第４締結部３０４Ｒは、車幅方向の内側に配置されている。また、第３及び第４締結部３０３Ｒ，３０４Ｒは、上下方向の略同一高さ位置に配置されている。
【００３１】
ここで、下側締結部（第３及び第４締結部３０３Ｒ，３０４Ｒ）は、バンパビーム２の上下方向中心線Ｌ０からの上下方向へのオフセット量Ｈ１が、上側締結部（３０１Ｒ，３０２Ｒ）のバンパビーム２の上下方向の中心位置からの上下方向へのオフセット量Ｈ２よりも大きくなるように配置されている。
【００３２】
このように右側締結部３０Ｒを配置したので、上側締結部（第１及び第２締結部３０１Ｒ，３０２Ｒ）と、下側締結部（第３及び第４締結部３０３Ｒ，３０４Ｒ）との間を、上下に略二等分する右側締結部上下二等分線３７Ｒは、高さ方向位置がバンパビーム２の上下方向中心線Ｌ０よりも下方位置において、略水平方向に延びるようになる。
【００３３】
ここで、締結部上下二等分線の求め方について具体的に説明すると、締結部上下二等分線は、上側締結部の１つと下側締結部の１つとを結ぶ線分のうち、最も車幅方向の外側に位置する外側線分と最も車幅方向の内側に位置する内側線分とのそれぞれの中点を結ぶ線分として画定される。
【００３４】
したがって、本実施形態では、上側締結部の１つと下側締結部の１つとを結ぶ線分３５ａ〜３５ｄのうち、外側線分は第１締結部３０１Ｒと第３締結部３０３Ｒとを結ぶ線分３５ａであり、内側線分は第２締結部３０２Ｒと第４締結部３０４Ｒとを結ぶ線分３５ｄとして画定される。そして、右側締結部上下二等分線３７Ｒは、線分３５ａの中点Ａ１と、線分３５ｄの中点Ａ２とを結ぶ線分として画定され、高さ方向位置がバンパビーム２の上下方向中心線Ｌ０よりも下方位置において、略水平方向に延びることになる。
【００３５】
同様に、左側締結部３０Ｌの配置について説明すると、左側締結部３０Ｌは、第１及び第２締結部３０１Ｌ，３０２Ｌは、左側締結部３０Ｌのうち上側を締結する上側締結部として構成されており、第１締結部３０１Ｌは、車幅方向の外側に配置され、第２締結部３０２Ｌは、車幅方向の内側に配置されている。また、第１及び第２締結部３０１Ｌ，３０２Ｌは、上下方向の略同一高さ位置に配置されている。
【００３６】
第３及び第４締結部３０３Ｌ，３０４Ｌは、左側締結部３０Ｌのうち下側を締結する下側締結部として構成されており、第３締結部３０３Ｌは、車幅方向の外側に配置され、第４締結部３０４Ｌは、車幅方向の内側に配置されている。また、第３及び第４締結部３０３Ｌ，３０４Ｌは、上下方向の略同一高さ位置に配置されている。
【００３７】
ここで、上側締結部（３０１Ｌ，３０２Ｌ）は、バンパビーム２の上下方向の中心位置からの上下方向へのオフセット量Ｈ３が、下側締結部（第３及び第４締結部３０３Ｌ，３０４Ｌ）のバンパビーム２の上下方向の中心位置からの上下方向へのオフセット量Ｈ４よりも大きくなるように配置されている。
【００３８】
このように左側締結部３０Ｌを配置したので、上側締結部（第１及び第２締結部３０１Ｌ，３０２Ｌ）と、下側締結部（第３及び第４締結部３０３Ｌ，３０４Ｌ）との間を、上下に略二等分する左側締結部上下二等分線３７Ｌは、高さ方向位置がバンパビーム２の上下方向中心線Ｌ０よりも上方位置において、略水平方向に延びるようになる。
【００３９】
すなわち、左右の締結部上下二等分線３７Ｌ，３７Ｒは、バンパビーム２の上下方向中心線Ｌ０を挟んで、高さ方向位置が上下にオフセットして配置されている。
【００４０】
ところで、バンパビーム組立体１は、バンパビーム２にバンパ（不図示）が取り付けられた状態で、左右のフレーム部材１０の前端部に片持ち状態で支持されており、左右のフレーム部材１０に結合された、クラッシュカン２０の基部側を基点として、上下に振動することになる。より具体的には、上記バンパビーム組立体１は、左右の結合部５Ｌ，５Ｒにおいて、締結部上下二等分線３７Ｌ，３７Ｒの周りに上下に振動し易い。
【００４１】
本実施形態では、上述したように、左右の締結部上下二等分線３７Ｌ，３７Ｒが、上下にオフセットして配置されているので、左右の締結部上下二等分線３７Ｌ，３７Ｒが一致することがない。これによって、左右の結合部５Ｌ，５Ｒにおける締結部上下二等分線３７Ｌ，３７Ｒ周りの、クラッシュカン２０の振動モードが左右で異なることになる。この結果、左右のクラッシュカン２０の振動モードが一致することによる、共振を防止して、バンパビーム組立体１の振動を効果的に抑制できる。
【００４２】
換言すると、振動モードが異なる左右のクラッシュカン２０の上下方向への振動は、左右のクラッシュカン２０を接続するバンパビーム２に対して捩りとして作用することになるが、これに対して剛体であるバンパビーム２が好適に抗することになるので、バンパビーム組立体１の振動が効果的に抑制されることになる。
【００４３】
しかも、締結部３０の配置によって、左右の締結部上下二等分線３７Ｌ，３７Ｒを容易に上下にオフセットさせることができる。よって、生産性を悪化させることなく、バンパビーム組立体１の振動を効果的に抑制できる。
【００４４】
上記実施形態では、左右の締結部上下二等分線３７Ｌ，３７Ｒを両方とも、バンパビーム２の上下方向中心線Ｌ０を挟んで上下にオフセットするように構成したが、これに限らず、左右の締結部上下二等分線３７Ｌ，３７Ｒが、互いに対して上下にオフセットするように左右の締結部３０を配置すればよい。
【００４５】
すなわち、左右の締結部上下二等分線３７Ｌ，３７Ｒが、互いに上下にオフセットしていればよく、バンパビーム２の上下方向中心線Ｌ０に対して、両方とも、上側又は下側に位置していてもよく、又は、いずれか一方のみ上側又は下側に位置し、他方の上下方向位置がバンパビーム２の上下方向中心線Ｌ０に一致するものでもよい。これによって、左右の締結部上下二等分線が一致することを防止できる。
【００４６】
また、好ましくは、図４に示すように、左右の締結部上下二等分線４７Ｌ，４７Ｒの高さ方向の中心位置に画定される締結部上下二等分中心線４９が、バンパビーム２の上下方向中心線Ｌ０に対して、下方にオフセットするように配置されている。
【００４７】
すなわち、バンパビーム組立体１は、左右の結合部５Ｌ，５Ｒにおける締結部上下二等分線４７Ｌ，４７Ｒが上下にオフセットして位置している場合には、これらの締結部上下二等分線４７Ｌ，４７Ｒの高さ方向の中心位置に画定される締結部上下二等分中心線４９周りに、全体として振動し易い。さらに、バンパビーム２の上下方向中心線Ｌ０が、締結部上下二等分中心線４９と上下方向位置が一致する場合には、バンパビーム組立体１が全体としてより振動し易くなる。
【００４８】
しかしながら、締結部上下二等分中心線４９がバンパビーム２の上下方向中心線Ｌ０に対して上下方向位置がオフセットするように、左右の締結部４０を配置することによって、バンパビーム組立体１の振動をより一層効果的に抑制できる。
【００４９】
なお、左右の締結部上下二等分線の上下方向におけるオフセット量は、バンパビーム組立体１の振動をより好適に抑制するためには大きい程よく、いずれか一方の結合部５における上側締結部と下側締結部との間の長さの少なくとも０．１倍の長さであればよく、より好ましくは０．２倍以上の長さであるのがよい。
【００５０】
上記実施形態では、結合部５を、矩形状に締結部３０を配置する場合を例にとり、説明したが、これに限らず、上述したように上側締結部の１つと下側締結部の１つとを結ぶ線分のうち、最も車幅方向の外側に位置する外側線分と最も車幅方向の内側に位置する内側線分のそれぞれの中点を結ぶ線分を、締結部上下二等分線として画定すればよい。
【００５１】
すなわち、図５（ａ）に示すように、上側締結部としての第１締結部７０１と、下側締結部としての第２及び第３締結部７０２，７０３とによって締結部７０を配置した場合には、上側締結部の１つと下側締結部の１つとを結ぶ線分は、第１及び第２線分７５ａ，７５ｂであり、このうち、車幅方向の最も外側に位置する第１線分７５ａと、車幅方向の最も内側に位置する第２線分７５ｂの、それぞれの中点Ｂ１，Ｂ２を結ぶ線分が、締結部上下二等分線７７として画定される。
【００５２】
また、図５（ｂ）に示すように、上側締結部としての第１締結部８０１と、下側締結部としての第２〜第４締結部８０２〜８０４とによって締結部８０を配置した場合には、上側締結部の１つと下側締結部の１つとを結ぶ線分は、第１〜第３線分８５ａ〜８５ｃであり、このうち、車幅方向の最も外側に位置する第１線分８５ａと、車幅方向の最も内側に位置する第２線分８５ｃの、それぞれの中点Ｃ１，Ｃ２を結ぶ線分が、締結部上下二等分線８７として画定される。
【００５３】
また、図５（ｃ）に示すように、上側締結部としての第１〜第３締結部９０１〜９０３と、下側締結部としての第４及び第５締結部９０４，９０５が含まれる場合には、上側締結部の１つと下側締結部の１つとを結ぶ線分は、第１〜第６線分９５ａ〜９６ｆであり、このうち、車幅方向の最も外側に位置する第１線分９５ａと、車幅方向の最も内側に位置する第２線分９５ｆの、それぞれの中点Ｄ１，Ｄ２を結ぶ線分が、締結部上下二等分線９７して画定される。
【００５４】
また、上記実施形態では、締結部を、締結ボルト３、ナット４、及びボルト挿通孔２３，１３によって構成したが、これに限らず、取付プレート２２をセットプレート１１に着脱自在に固定できるものであればよく、締結ボルト及びナットのほか、例えばリベットを採用してもよく、その他の様々な締結手段を採用できる。
【００５５】
上記各実施形態では、左右の結合部５Ｌ，５Ｒを、前後方向及び鉛直方向の略同位置に設けたが、これに限らない。すなわち、左右の締結部上下二等分線の少なくとも一方が、正面視（前面視又は後面視）において、互いに上下にオフセットしてればよく、左右の結合部５Ｌ，５Ｒの位置は特に限定されるものではない。
【００５６】
特許請求の範囲に記載された本発明の精神および範囲から逸脱することなく、各種変形及び変更を行うことも可能である。
【産業上の利用可能性】
【００５７】
以上説明したように、本発明に係る車両の前部車体構造によれば、生産性を悪化させることなく、車体前部の振動を効果的に抑制できるので、この種の製造技術分野において好適に利用される可能性がある。
【符号の説明】
【００５８】
１      バンパビーム組立体
２      バンパビーム
３      締結ボルト
４      ナット
５      結合部
１０    フレーム部材
１１    セットプレート
１３    ボルト挿通孔
２０    クラッシュカン
２１    クラッシュカン本体
２２    取付プレート
２３    ボルト挿通孔
３０    締結部
３７    締結部上下二等分線
３９    締結部上下二等分中心線
【図１】
2017024524.tif 000003
【図２】
2017024524.tif 000004
【図３】
2017024524.tif 000005
【図４】
2017024524.tif 000006
【図５】
2017024524.tif 000007